(57)【要約】      （修正有）【課題】既存のエレベーターを容易に改造でき、保全が容易に行えるエレベーターの非常電源供給装置の提供。【解決手段】エレベーター機械室に設けられ、エレベーターの運行状況を常時監視するとともに、エレベーターに異常が発生したとき、電話回線を介して異常発生を遠隔的に監視する監視センタヘ通報する監視装置５と、エレベーターかご１に設けられ、停電時にかご内を照らす停電灯２と、かご１内と外部の通話を確立するインターホン３と、停電時に監視装置５と停電灯２とインターホン３に電源を供給するバッテリー７とを備えたエレベーターの非常電源供給装置において、監視装置５の近傍に配設したバッテリー７と、このバッテリー７と停電灯２及びインターホン３の接続をインターホン電源線６Ａとしたことを特徴とする。【選択図】図１
2008137753.tif 000002
【特許請求の範囲】
【請求項１】
エレベーター機械室に設けられ、エレベーターの運行状況を常時監視するとともに、エレベーターに異常が発生したとき、電話回線を介して異常発生を遠隔的に監視する監視センタヘ通報する監視装置と、エレベーターかごに設けられ、停電時にかご内を照らす停電灯と、かご内と外部の通話を確立するインターホンと、停電時に前記監視装置と前記停電灯と前記インターホンに電源を供給するバッテリーとを備えたエレベーターの非常電源供給装置において、前記監視装置の近傍に配設したバッテリーと、このバッテリーと前記停電灯及び前記インターホンの接続をインターホン電源線としたことを特徴とするエレベーターの非常電源供給装置。
【発明の詳細な説明】
【技術分野】
【０００１】
本発明は、エレベーターの非常電源供給装置に関する。
【背景技術】
【０００２】
従来のエレベーターの非常用電源装置は、非常時に巻上機のブレーキを開放するための非常用バッテリーを用い、エレベーターに設けられた停電灯やインターホンなどの複数の負荷へ電力を供給する技術が提案されている（特許文献１参照）。
【０００３】
また、停電灯に発光ダイオードを光源として構成し、その発光ダイオードの点灯による光を光拡散部材を通してかご内に照射する技術が提案されている（特許文献２参照）。
【特許文献１】特開２００４−１２３３５２公報（段落番号０００７〜００１０，図１）
【特許文献２】特開２００３−３３５４８１公報（段落番号０００７，図１，図２）
【発明の開示】
【発明が解決しようとする課題】
【０００４】
上記特許文献１の特開２００４−１２３３５２公報では、停電時の巻上機ブレーキ開放用バッテリーをインターホンと停電灯のバッテリーに共用して使用するために、停電時に発生する閉じ込め救出等の非常時に用いるブレーキ開放用のバッテリーが設置されていないエレベーターには対応できないという問題があった。また、ブレーキ開放用のバッテリーとインターホンと停電灯のバッテリーを共用させると、インターホンや停電灯使用時にバッテリーの容量が少なくなりブレーキ開放にて閉じ込め救出を行う際、バッテリー容量不足にてブレーキの開放が出来ない可能性があったり、制御盤と乗りかご間の給電を行うには、専用の給電経路を確保する必要があり、既存のエレベーターを改造するときには、適切なる指示が必要であり、手続きが面倒であるという問題があった。
【０００５】
また、特許文献２の特開２００３−３３５４８１公報は、停電灯に使用されていた白熱球をＬＥＤ化した技術であり、省電力化や停電灯の寿命延長の効果はあるが、バッテリーの点検やバッテリーを交換するとき、エレベーターのかご上作業を行なわなければならないため、作業性が悪いという問題があった。
【０００６】
本発明の目的は、既存のエレベーターを容易に改造でき、保全が容易に行えるエレベーターの非常電源供給装置を提供することにある。
【課題を解決するための手段】
【０００７】
上記目的を達成するために、本発明は、エレベーター機械室に設けられ、エレベーターの運行状況を常時監視するとともに、エレベーターに異常が発生したとき、電話回線を介して異常発生を遠隔的に監視する監視センタヘ通報する監視装置と、エレベーターかごに設けられ、停電時にかご内を照らす停電灯と、かご内と外部の通話を確立するインターホンと、停電時に前記監視装置と前記停電灯と前記インターホンに電源を供給するバッテリーとを備えたエレベーターの非常電源供給装置において、前記監視装置の近傍に配設したバッテリーと、このバッテリーと前記停電灯及び前記インターホンの接続をインターホン電源線としたものである。
【０００８】
このようにしたので、前記監視装置と前記停電灯と前記インターホンの停電時の電源を供給するバッテリーを統合できるとともに、エレベーター機械室とかごの通線をインターホン電源線を使うので、配線が容易に行える。
【発明の効果】
【０００９】
本発明によれば、前記監視装置と前記停電灯と前記インターホンの停電時のバッテリーを機械室に設けるとともに、バッテリーとかごに配設される前記停電灯と前記インターホンの通線を既存のインターホン電源線を使用するので、バッテリーに関する保全の作業性が向上するとともに、既存のエレベーターを改造する場合の作業性も向上し、配線を間違うこともない。
【発明を実施するための最良の形態】
【００１０】
以下、本発明の一実施形態を図に基づいて説明する。
【００１１】
図１は本発明の一実施形態におけるエレベーターの非常電源供給装置の要部ブロック図である。
【００１２】
エレベーターのかご１には、停電時にかご内の明るさを確保するＬＥＤ停電灯２と非常時に外部と連絡をとるためのインターホン３が設置されている。
【００１３】
また、エレベーターの図示しない機械室に設置され、かご１と複数本のケーブルで構成されるテールコード６と電気的に接続され、エレベーターを制御する制御盤４には、エレベーターの運行状況を常時監視し、異常発生を検出したとき、図示しない電話回線を介して複数台のエレベーターの異常発生を遠隔的に監視する図示しない監視センタヘ通報する異常検出装置５Ａと、インターホン３の押釦３Ａを例えば３秒間押し続ける長押しを行なうと、図示しない電話回線を介して図示しない監視センタとの通話を確立する通話装置５Ｂとを備えた監視装置５と、この監視装置５及びテールコード６に配設されるインターホン電源線６Ａを介して接続されるＬＥＤ停電灯２とインターホン３に停電時の電源を供給するバッテリー７とが設置してある。
【００１４】
ここで、インターホン３と監視装置５の電圧が異なる場合のバッテリー７の電圧は、いずれか一方の電圧に合せ他方は図示しないＤＣ／ＤＣコンバータを介在させるようにすれば良いが、電圧の電線ロスが大きいインターホン３に合せるのが望ましい。
【００１５】
今、停電が発生すると、図示しない停電検出装置により電源供給がバッテリー７に切り替わり、停電発生を検出した異常検出装置５Ａは図示しない監視センタヘその旨を通報し、バッテリー７から電源が供給されるＬＥＤ停電灯２からかご１の照明が行なわれ、また、かご１に乗客が閉じ込められている場合、乗客はＬＥＤ停電灯２の照明を頼りにインターホン３の押釦３Ａを長押しして通話装置５Ｂを起動させ、監視センタとの通話をすることで救助依頼を行ない、ＬＥＤ停電灯２の照明のもとで救出を待つ。
【００１６】
本実施形態によれば、ＬＥＤ停電灯２とインターホン３と監視装置５に対し、停電時のそれぞれの非常電源装置であるバッテリー７を共用するとともに、機械室に設置するようにしたので、バッテリー７の交換や寿命試験等の保全作業が容易に行える。
【００１７】
また、かご１に設置されるＬＥＤ停電灯２とインターホン３の電源供給線は、既存のインターホン電源線６Ａを利用するようにしたので、既存のエレベーターを改造する場合、配線作業を短時間で行なえ、誤配線することもない。
【図面の簡単な説明】
【００１８】
【図１】本発明の一実施形態におけるエレベーターの非常電源供給装置の要部ブロック図である。
【符号の説明】
【００１９】
１  かご
２  停電灯
３  インターホン
４  制御盤
５  監視装置
５Ａ  異常検出装置
５Ｂ  通話装置
６  テールコード
６Ａ  インターホン電源線
７  バッテリー
【図１】
2008137753.tif 000003